(57)【要約】【課題】定期的に更新する必要のある情報の集中管理方式を提供する。【解決手段】情報管理システム１００において、管理装置１０１は、新たな第１情報を生成し、生成した第１情報で記憶部１３１に記憶した第１情報を更新し、インターネット４００を介して更新後の第１情報を配信する。配信装置２０１は、更新後の第１情報を受信し、更新後の第１情報を新たな第２情報として記憶部２３１に記憶された第２情報を更新し、ＬＡＮ−１を介して更新後の第２情報を配信する。管理装置１０１から更新後の第１情報が配信されなかった場合、配信装置２０１は、新たな第２情報を独自に生成し、生成した第２情報で記憶部２３１に記憶された第２情報を更新し、ＬＡＮ−１を介して更新後の第２情報を配信する。【選択図】図１
2015173411.tif 000002
【特許請求の範囲】
【請求項１】
第１情報を第１記憶部に記憶し、更新周期ごとに、新たな第１情報を生成し、生成した第１情報で前記第１記憶部に記憶した第１情報を更新し、第１ネットワークを介して更新後の第１情報を配信する管理装置と、
第２情報を第２記憶部に記憶し、前記更新周期ごとに、前記第１ネットワークを介して前記管理装置から配信された更新後の第１情報を受信し、受信した更新後の第１情報を新たな第２情報として前記第２記憶部に記憶した第２情報を更新し、第２ネットワークを介して更新後の第２情報を配信する配信装置と、
前記更新周期ごとに、前記第２ネットワークを介して前記配信装置から配信された更新後の第２情報を受信し、受信した更新後の第２情報を利用する端末装置と
を備え、
前記配信装置は、前記更新周期の１周期にて、前記管理装置から更新後の第１情報が配信されない場合、当該１周期では、新たな第２情報を独自に生成し、生成した第２情報で前記第２記憶部に記憶した第２情報を更新し、前記第２ネットワークを介して更新後の第２情報を配信することを特徴とする情報管理システム。
【請求項２】
前記配信装置は、前記更新周期の１周期にて、前記管理装置から更新後の第１情報が配信されない場合、当該１周期では、新たな第１情報を独自に生成し、生成した第１情報を新たな第２情報として前記第２記憶部に記憶した第２情報を更新し、前記第２ネットワークを介して更新後の第２情報を配信することを特徴とする請求項１の情報管理システム。
【請求項３】
前記配信装置は、前記更新周期の１周期にて、新たな第１情報を独自に生成した場合、前記第１ネットワークを介して、生成した第１情報を前記管理装置に送信し、
前記管理装置は、前記第１ネットワークを介して前記配信装置から送信された第１情報を受信し、受信した第１情報で前記第１記憶部に記憶した第１情報を更新することを特徴とする請求項２の情報管理システム。
【請求項４】
前記配信装置は、前記更新周期ごとに、前記更新周期の各周期に共通の関数を用いて、前記管理装置から受信した更新後の第１情報から新たな第２情報を生成し、生成した第２情報で前記第２記憶部に記憶した第２情報を更新することを特徴とする請求項１から３のいずれかの情報管理システム。
【請求項５】
更新周期ごとに第１情報を更新する管理装置と第１ネットワークを介して通信するとともに、第２情報を利用する端末装置と第２ネットワークを介して通信する配信装置であって、
第２情報を記憶する記憶部と、
前記更新周期ごとに、前記第１ネットワークを介して前記管理装置から配信された更新後の第１情報を受信する通信部と、
前記更新周期ごとに、前記通信部により受信された更新後の第１情報を新たな第２情報として前記記憶部に記憶された第２情報を更新する更新部と、
前記第２ネットワークを介して前記更新部による更新後の第２情報を配信する配信部と
を備え、
前記更新部は、前記更新周期の１周期にて、前記通信部により更新後の第１情報が受信されない場合、当該１周期では、新たな第２情報を独自に生成し、生成した第２情報で前記記憶部に記憶した第２情報を更新することを特徴とする配信装置。
【請求項６】
管理装置が、第１情報を第１記憶部に記憶し、
配信装置が、第２情報を第２記憶部に記憶し、
前記管理装置が、更新周期ごとに、新たな第１情報を生成し、生成した第１情報で前記第１記憶部に記憶した第１情報を更新し、第１ネットワークを介して更新後の第１情報を配信し、
前記配信装置が、前記更新周期ごとに、前記第１ネットワークを介して前記管理装置から配信された更新後の第１情報を受信し、受信した更新後の第１情報を新たな第２情報として前記第２記憶部に記憶した第２情報を更新し、第２ネットワークを介して更新後の第２情報を配信し、
端末装置が、前記更新周期ごとに、前記第２ネットワークを介して前記配信装置から配信された更新後の第２情報を受信し、受信した更新後の第２情報を利用し、
前記配信装置が、前記更新周期の１周期にて、前記管理装置から更新後の第１情報が配信されない場合、当該１周期では、新たな第２情報を独自に生成し、生成した第２情報で前記第２記憶部に記憶した第２情報を更新し、前記第２ネットワークを介して更新後の第２情報を配信することを特徴とする情報管理方法。
【発明の詳細な説明】
【技術分野】
【０００１】
本発明は、情報管理システム及び配信装置及び情報管理方法に関するものである。本発明は、例えば、情報の集中管理方式に関するものである。
【背景技術】
【０００２】
複数のネットワークシステムのそれぞれに個別の分散管理装置が１台ずつ接続され、複数台の分散管理装置に共通の統合管理装置が１台接続され、この統合管理装置で複数のネットワークシステムを一元管理する管理方式がある（例えば、特許文献１参照）。
【先行技術文献】
【特許文献】
【０００３】
【特許文献１】特開平４−３４２３３１号公報
【発明の概要】
【発明が解決しようとする課題】
【０００４】
従来の管理方式では、統合管理装置が複数のネットワークシステムを監視するために自ら利用する情報をそれぞれの分散管理装置から収集するだけで、それぞれのネットワークシステムで利用される情報を一元管理したり、配信したりするわけではない。したがって、定期的に更新する必要のある情報がそれぞれのネットワークシステムで利用される場合に、その情報を集中管理したいとしても、従来の管理方式を適用することはできなかった。
【０００５】
本発明は、例えば、定期的に更新する必要のある情報の集中管理方式を提供することを目的とする。
【課題を解決するための手段】
【０００６】
本発明の一の態様に係る情報管理システムは、
第１情報を第１記憶部に記憶し、更新周期ごとに、新たな第１情報を生成し、生成した第１情報で前記第１記憶部に記憶した第１情報を更新し、第１ネットワークを介して更新後の第１情報を配信する管理装置と、
第２情報を第２記憶部に記憶し、前記更新周期ごとに、前記第１ネットワークを介して前記管理装置から配信された更新後の第１情報を受信し、受信した更新後の第１情報を新たな第２情報として前記第２記憶部に記憶した第２情報を更新し、第２ネットワークを介して更新後の第２情報を配信する配信装置と、
前記更新周期ごとに、前記第２ネットワークを介して前記配信装置から配信された更新後の第２情報を受信し、受信した更新後の第２情報を利用する端末装置とを備え、
前記配信装置は、前記更新周期の１周期にて、前記管理装置から更新後の第１情報が配信されない場合、当該１周期では、新たな第２情報を独自に生成し、生成した第２情報で前記第２記憶部に記憶した第２情報を更新し、前記第２ネットワークを介して更新後の第２情報を配信する。
【発明の効果】
【０００７】
本発明では、管理装置が更新周期ごとに更新後の情報を、配信装置を介して配信するが、更新後の情報が配信されない周期があった場合、その周期では配信装置が独自に更新後の情報を配信する。このため、情報の集中管理を可能としつつ、異常時に情報の更新が途絶えないようにすることができる。即ち、本発明によれば、定期的に更新する必要のある情報の集中管理方式を提供することが可能となる。
【図面の簡単な説明】
【０００８】
【図１】実施の形態１に係る情報管理システムの構成を示すブロック図。
【図２】実施の形態１に係る情報管理システムの動作を示すフローチャート。
【図３】実施の形態２に係る情報管理システムの構成を示すブロック図。
【図４】実施の形態２に係る情報管理システムの動作を示すフローチャート。
【図５】本発明の実施の形態に係る情報管理システムの各装置のハードウェア構成の一例を示す図。
【発明を実施するための形態】
【０００９】
以下、本発明の実施の形態について、図を用いて説明する。
【００１０】
実施の形態１．
図１は、本実施の形態に係る情報管理システム１００の構成を示すブロック図である。
【００１１】
図１において、情報管理システム１００は、１台の管理装置１０１と、３台の配信装置２０１，２０２，２０３と、１０台の端末装置３０１ａ，３０１ｂ，３０１ｃ，３０１ｄ，３０２ａ，３０２ｂ，３０２ｃ，３０３ａ，３０３ｂ，３０３ｃとを備える。なお、各装置の台数は、適宜変更してよい。例えば、１台の管理装置１０１と、１台の配信装置２０１と、１台の端末装置３０１ａしか存在しないとしても、本実施の形態を適用することができる。
【００１２】
管理装置１０１は、サーバコンピュータ等のコンピュータである。管理装置１０１は、スイッチ１１１を介して、ＬＡＮ（Ｌｏｃａｌ・Ａｒｅａ・Ｎｅｔｗｏｒｋ）−Ｘに接続されている。管理装置１０１は、スイッチ１１１、ルータ１２１を介して、インターネット４００に接続されている。インターネット４００は、第１ネットワークの例であり、ＷＡＮ（Ｗｉｄｅ・Ａｒｅａ・Ｎｅｔｗｏｒｋ）又はその他のネットワークに置き換えても構わない。
【００１３】
配信装置２０１，２０２，２０３は、サーバコンピュータ等のコンピュータである。配信装置２０１，２０２，２０３は、それぞれスイッチ２１１，２１２，２１３を介して、ＬＡＮ−１、ＬＡＮ−２、ＬＡＮ−３に接続されている。ＬＡＮ−１、ＬＡＮ−２、ＬＡＮ−３は、第２ネットワークの例であり、他のネットワークに置き換えても構わないが、第１ネットワークよりも信頼性の高いネットワークであることが望ましい。配信装置２０１，２０２，２０３は、それぞれスイッチ２１１，２１２，２１３、ルータ２２１，２２２，２２３を介して、インターネット４００に接続されている。
【００１４】
端末装置３０１ａ，３０１ｂ，３０１ｃ，３０１ｄ，３０２ａ，３０２ｂ，３０２ｃ，３０３ａ，３０３ｂ，３０３ｃは、ＰＣ（パーソナルコンピュータ）等のコンピュータである。端末装置３０１ａ，３０１ｂ，３０１ｃ，３０１ｄは、スイッチ２１１を介して、ＬＡＮ−１に接続されている。端末装置３０２ａ，３０２ｂ，３０２ｃは、スイッチ２１２を介して、ＬＡＮ−２に接続されている。端末装置３０３ａ，３０３ｂ，３０３ｃは、スイッチ２１３を介して、ＬＡＮ−３に接続されている。
【００１５】
管理装置１０１は、記憶部１３１と、更新部１３３と、配信部１３４とを備える。記憶部１３１は、第１記憶部の例であり、第１情報を記憶する。更新部１３３及び配信部１３４の動作については後述する。
【００１６】
配信装置２０１は、記憶部２３１と、通信部２３２と、更新部２３３と、配信部２３４とを備える。記憶部２３１は、第２記憶部の例であり、第２情報を記憶する。通信部２３２、更新部２３３、配信部２３４の動作については後述する。図示していないが、配信装置２０２，２０３も、配信装置２０１と同様の構成をもつものとする。
【００１７】
第２情報は、例えば、定期的に更新する必要のある情報である。第２情報は、ＬＡＮ−１内の端末装置３０１ａ，３０１ｂ，３０１ｃ，３０１ｄ間で共用される共通情報であってもよいし、ＬＡＮ−１内の端末装置３０１ａ，３０１ｂ，３０１ｃ，３０１ｄのそれぞれで個別に利用される個別情報であってもよい。第２情報は、個別情報に相当するものであれば、配信装置２０１の記憶部２３１にＬＡＮ−１内の端末装置の台数分記憶されることになる。
【００１８】
第１情報は、第２情報と同一の情報であってもよいし、第２情報を生成するための種となる情報（例えば、乱数等のランダムな情報）であってもよい。第１情報は、ＬＡＮ−１、ＬＡＮ−２、ＬＡＮ−３間で同じ情報であってもよいが、異なる情報であることが望ましい。個別情報に相当する第２情報に対応する第１情報は、端末装置ごとに異なるものが生成及び更新されることが望ましい。第１情報は、種に相当するものであれば、第２情報の更新周期の各周期に共通の関数（例えば、ハッシュ関数）を用いて第２情報に変換されることになる。
【００１９】
以下では、情報管理システム１００の動作（本実施の形態に係る情報管理方法）について説明する。
【００２０】
図２は、情報管理システム１００の動作を示すフローチャートである。
【００２１】
まず、管理装置１０１の動作について説明する。
【００２２】
Ｓ１１において、更新部１３３は、新たな第１情報を生成し、生成した第１情報で記憶部１３１に記憶した第１情報を更新する。
【００２３】
Ｓ１２において、配信部１３４は、インターネット４００を介してＳ１１の更新後の第１情報を配信する。
【００２４】
Ｓ１１及びＳ１２の処理は、第１情報及び第２情報の更新周期（例えば、１時間又は数時間、１日又は数日、１ヵ月又は数ヵ月、１年又は数年）ごとに繰り返し実行される。
【００２５】
次に、配信装置２０１の動作について説明する。図示していないが、配信装置２０２，２０３も、配信装置２０１と同様の動作を行うものとする。
【００２６】
インターネット４００を介して管理装置１０１から更新後の第１情報が配信された場合、Ｓ２１において、通信部２３２は、その更新後の第１情報を受信する。
【００２７】
Ｓ２２において、更新部２３３は、Ｓ２１で受信された更新後の第１情報を新たな第２情報として記憶部２３１に記憶された第２情報を更新する。このとき、第１情報をそのまま第２情報として用いる運用方式では、更新部２３３は、更新後の第１情報で記憶部２３１に記憶された第２情報を上書きする。一方、第１情報を第２情報の種として用いる運用方式では、更新部２３３は、前述した関数を用いて更新後の第１情報から新たな第２情報を生成し、生成した第２情報で記憶部２３１に記憶された第２情報を上書きする。
【００２８】
Ｓ２３において、配信部２３４は、ＬＡＮ−１を介してＳ２２の更新後の第２情報を配信する。このとき、第２情報が共通情報であれば、配信部２３４は、端末装置３０１ａ，３０１ｂ，３０１ｃ，３０１ｄ全てに第２情報を配信する。一方、第２情報が個別情報であれば、配信部２３４は、端末装置３０１ａ，３０１ｂ，３０１ｃ，３０１ｄのうち該当する端末装置のみに第２情報を配信する。
【００２９】
ＬＡＮ−１を介して配信装置２０１から配信された更新後の第２情報は、端末装置３０１ａ，３０１ｂ，３０１ｃ，３０１ｄの全て又は該当する端末装置で受信され、利用される。
【００３０】
なお、管理装置１０１の記憶部１３１、配信装置２０１の記憶部２３１は、不揮発性の記憶媒体を用いて実装されるものとするが、各端末装置では、第２情報を揮発性メモリに記憶することが望ましい。そうすることで、例えば、端末装置が盗まれても、端末装置の電源が落ちれば第２情報が消失するため、第２情報が漏洩しない。
【００３１】
インターネット４００を介して管理装置１０１から更新後の第１情報が配信されなかった場合（管理装置１０１自体の不具合により配信されない場合だけでなく、インターネット４００等の通信障害等により配信されない場合も含む）、Ｓ２４において、更新部２３３は、新たな第２情報を独自に生成し、生成した第２情報で記憶部２３１に記憶された第２情報を更新する。このとき、第１情報をそのまま第２情報として用いる運用方式では、更新部２３３は、単に新たな第２情報（第１情報でもある）を生成し、その第２情報で記憶部２３１に記憶された第２情報を上書きする。一方、第１情報を第２情報の種として用いる運用方式では、更新部２３３は、まず、新たな第１情報を独自に生成する。そして、更新部２３３は、前述した関数を用いて、生成した第１情報から新たな第２情報を生成し、その第２情報で記憶部２３１に記憶された第２情報を上書きする。
【００３２】
Ｓ２４の後、フローは前述したＳ２３に進む。
【００３３】
Ｓ２１〜Ｓ２４の処理は、前述した更新周期ごとに繰り返し実行される。ある周期において、Ｓ２１及びＳ２２の処理の代わりにＳ２４の処理が実行された場合でも、次の周期において、管理装置１０１から更新後の第１情報が配信されれば、その周期では、Ｓ２４の処理ではなくＳ２１及びＳ２２の処理が実行される。なお、Ｓ２１及びＳ２２の処理が実行された場合でも、Ｓ２４の処理が実行された場合でも、Ｓ２３の処理は同じである。そのため、端末装置３０１ａ，３０１ｂ，３０１ｃ，３０１ｄでは、管理装置１０１から更新後の第１情報が正常に配信されたかどうかを意識することなく、毎回、更新後の第２情報を受信して利用することができる。
【００３４】
このように、本実施の形態では、管理装置１０１における情報の集中管理を可能としつつ、管理装置１０１の故障やインターネット等の通信障害等が発生したとき（即ち、異常時）にも情報の更新が途絶えないようにすることができる。即ち、本実施の形態によれば、定期的に更新する必要のある情報の集中管理方式を提供することが可能となる。
【００３５】
以上説明したように、本実施の形態では、ある目的を実現するために配備された端末装置３０１ａ等と、これらの端末装置３０１ａ等を管理するための管理装置１０１とを備えるシステムにおいて、端末装置間で共有される、或いは、端末装置ごとに個別に保有される情報を集中管理することができる。
【００３６】
情報は、端末装置３０１ａ等の起動時或いは一定時間経過した際に管理装置１０１から配送され、決められた範囲（例えば、ＬＡＮ−１）内の全ての端末装置で共有したり、決められた個別の端末装置で保有したりすることが要求される。このため、管理装置１０１と端末装置３０１ａ等は信頼性の高いネットワーク内に設置することが要求されるが、多数の管理装置１０１を分散配備すると、システム全体としての管理装置１０１の運用負荷が高くなる。この運用負荷を軽減するため、本実施の形態では、１台の管理装置１０１のみを設置する構成を採用している（ただし、前述したように、この構成に限るものではない）。一方で、管理装置１０１と端末装置３０１ａ等との間が信頼性の高くないネットワーク（例えば、インターネット４００）で接続される環境においても、端末装置３０１ａ等への情報の配送が滞らないようにするため、本実施の形態では、端末装置３０１ａ等が配備される信頼性の高いネットワーク（例えば、ＬＡＮ−１）内に運用負荷かからない配信装置２０１等を配備する構成を採用している。これにより、情報を集中管理することが可能となり、かつ、全体の運用負荷も低減できる。
【００３７】
配信装置２０１等で保持される情報は定期的に更新されるが、全て管理装置１０１で管理されている情報であるため、配信装置２０１等でバックアップ等の管理を行う必要はない。また、配信装置２０１等の故障による装置交換作業時に、情報をリストアする必要もなくなり、単純に装置を設置して起動することで運用の継続が可能である。
【００３８】
端末装置３０１ａ等には配信装置２０１等から情報が配送される。このため、管理装置１０１との通信が不可能な状態においても、端末装置間における情報の共有、個別の端末装置における情報の保有はいずれも問題なく実施できる。
【００３９】
本実施の形態によれば、管理装置１０１と端末装置３０１ａ等が信頼性の高いネットワークで接続されなくてもよくなるため、情報を１台の管理装置１０１で集中管理することが可能となる。情報の更新時に必要となるデータバックアップのための運用も一箇所で集中して実施できることにより、全体の運用負荷が低減する。
【００４０】
実施の形態２．
本実施の形態について、主に実施の形態１との差異を説明する。
【００４１】
図３は、本実施の形態に係る情報管理システム１００の構成を示すブロック図である。
【００４２】
図３において、情報管理システム１００は、実施の形態１と同様に、１台の管理装置１０１と、３台の配信装置２０１，２０２，２０３と、１０台の端末装置３０１ａ，３０１ｂ，３０１ｃ，３０１ｄ，３０２ａ，３０２ｂ，３０２ｃ，３０３ａ，３０３ｂ，３０３ｃとを備える。
【００４３】
本実施の形態では、管理装置１０１が、実施の形態１と同様の記憶部１３１と、更新部１３３と、配信部１３４とに加えて、通信部１３２を備える。通信部１３２の動作については後述する。
【００４４】
以下では、情報管理システム１００の動作（本実施の形態に係る情報管理方法）について説明する。
【００４５】
図４は、情報管理システム１００の動作を示すフローチャートである。
【００４６】
まず、管理装置１０１の動作について説明する。
【００４７】
Ｓ１１及びＳ１２については、図２に示した実施の形態１のものと同様である。
【００４８】
インターネット４００を介して配信装置２０１から新たな第１情報が送信（通知）された場合、Ｓ１３において、通信部１３２は、その第１情報を受信する。
【００４９】
Ｓ１４において、更新部１３３は、Ｓ１３で受信された第１情報で記憶部１３１に記憶した第１情報を更新する。
【００５０】
次に、配信装置２０１の動作について説明する。図示していないが、配信装置２０２，２０３も、配信装置２０１と同様の動作を行うものとする。
【００５１】
Ｓ２１〜Ｓ２４については、図２に示した実施の形態１のものと同様である。
【００５２】
Ｓ２４の処理が実行された場合、その後、管理装置１０１と配信装置２０１との間の通信が可能になっていれば、Ｓ２５において、通信部２３２は、インターネット４００を介してＳ２４の更新後の第１情報を管理装置１０１に送信（通知）する。このとき、第１情報をそのまま第２情報として用いる運用方式では、通信部２３２は、記憶部２３１に記憶された更新後の第２情報（第１情報でもある）を管理装置１０１に送信する。一方、第１情報を第２情報の種として用いる運用方式では、通信部２３２は、Ｓ２４で更新部２３３により生成された第１情報を管理装置１０１に送信する。
【００５３】
このように、本実施の形態では、管理装置１０１からの更新後の第１情報の配信が（特に、一時的な不具合の発生により）失敗しても、配信装置２０１で独自に新たな第１情報が生成されて正常に更新処理が行われ、その後、配信装置２０１から更新後の第１情報が管理装置１０１に通知される。そのため、管理装置１０１では、記憶部１３１に記憶した第１情報を可能な限り最新の状態に保つことができる。
【００５４】
図５は、本発明の実施の形態に係る情報管理システム１００の各装置（管理装置１０１、配信装置２０１，２０２，２０３、端末装置３０１ａ，３０１ｂ，３０１ｃ，３０１ｄ，３０２ａ，３０２ｂ，３０２ｃ，３０３ａ，３０３ｂ，３０３ｃ）のハードウェア構成の一例を示す図である。
【００５５】
図５において、情報管理システム１００の各装置は、コンピュータであり、出力装置９１０、入力装置９２０、記憶装置９３０、処理装置９４０といったハードウェアを備える。ハードウェアは、情報管理システム１００の各装置の各部（本発明の実施の形態の説明において「部」として説明するもの）によって利用される。
【００５６】
出力装置９１０は、例えば、ＬＣＤ（Ｌｉｑｕｉｄ・Ｃｒｙｓｔａｌ・Ｄｉｓｐｌａｙ）等の表示装置、プリンタ、通信モジュール（通信回路等）である。出力装置９１０は、本発明の実施の形態の説明において「部」として説明するものによってデータ、情報、信号の出力（送信）のために利用される。
【００５７】
入力装置９２０は、例えば、キーボード、マウス、タッチパネル、通信モジュール（通信回路等）である。入力装置９２０は、本発明の実施の形態の説明において「部」として説明するものによってデータ、情報、信号の入力（受信）のために利用される。
【００５８】
記憶装置９３０は、例えば、ＲＯＭ（Ｒｅａｄ・Ｏｎｌｙ・Ｍｅｍｏｒｙ）、ＲＡＭ（Ｒａｎｄｏｍ・Ａｃｃｅｓｓ・Ｍｅｍｏｒｙ）、ＨＤＤ（Ｈａｒｄ・Ｄｉｓｋ・Ｄｒｉｖｅ）、ＳＳＤ（Ｓｏｌｉｄ・Ｓｔａｔｅ・Ｄｒｉｖｅ）である。記憶装置９３０には、プログラム９３１、ファイル９３２が記憶される。プログラム９３１には、本発明の実施の形態の説明において「部」として説明するものの処理（機能）を実行するプログラムが含まれる。ファイル９３２には、本発明の実施の形態の説明において「部」として説明するものによって演算、加工、読み取り、書き込み、利用、入力、出力等が行われるデータ、情報、信号（値）等が含まれる。管理装置１０１の記憶部１３１、配信装置２０１の記憶部２３１は、記憶装置９３０により実装される。
【００５９】
処理装置９４０は、例えば、ＣＰＵ（Ｃｅｎｔｒａｌ・Ｐｒｏｃｅｓｓｉｎｇ・Ｕｎｉｔ）である。処理装置９４０は、バス等を介して他のハードウェアデバイスと接続され、それらのハードウェアデバイスを制御する。処理装置９４０は、記憶装置９３０からプログラム９３１を読み出し、プログラム９３１を実行する。処理装置９４０は、本発明の実施の形態の説明において「部」として説明するものによって演算、加工、読み取り、書き込み、利用、入力、出力等を行うために利用される。
【００６０】
本発明の実施の形態の説明において「部」として説明するものは、「部」を「回路」、「装置」、「機器」に読み替えたものであってもよい。また、本発明の実施の形態の説明において「部」として説明するものは、「部」を「工程」、「手順」、「処理」に読み替えたものであってもよい。即ち、本発明の実施の形態の説明において「部」として説明するものは、ソフトウェアのみ、ハードウェアのみ、或いは、ソフトウェアとハードウェアとの組み合わせで実現される。ソフトウェアは、プログラム９３１として、記憶装置９３０に記憶される。プログラム９３１は、本発明の実施の形態の説明において「部」として説明するものとしてコンピュータを機能させるものである。或いは、プログラム９３１は、本発明の実施の形態の説明において「部」として説明するものの処理をコンピュータに実行させるものである。
【００６１】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【００６２】
１００  情報管理システム、１０１  管理装置、１１１，２１１，２１２，２１３  スイッチ、１２１，２２１，２２２，２２３  ルータ、１３１，２３１  記憶部、１３２，２３２  通信部、１３３，２３３  更新部、１３４，２３４  配信部、２０１，２０２，２０３  配信装置、３０１ａ，３０１ｂ，３０１ｃ，３０１ｄ，３０２ａ，３０２ｂ，３０２ｃ，３０３ａ，３０３ｂ，３０３ｃ  端末装置、４００  インターネット、９１０  出力装置、９２０  入力装置、９３０  記憶装置、９３１  プログラム、９３２  ファイル、９４０  処理装置。
【図１】
2015173411.tif 000003
【図２】
2015173411.tif 000004
【図３】
2015173411.tif 000005
【図４】
2015173411.tif 000006
【図５】
2015173411.tif 000007